(57)【要約】【課題】  優れた弾性と通気性を有すると共に、湿気に強く、カビの発生を防ぐことができる積層型ネット敷物を提供する。【解決手段】  積層型ネット敷物は、所定の間隔で並べた複数の第１の線状部材と、前記第１の線状部材と異なる方向に所定の間隔で並べた複数の第２の線状部材とで構成され、複数の網目が形成された非織物ネットを複数積層してなる平板状の立体構造を有する。【選択図】  図１
0003136985.tif 000002
【実用新案登録請求の範囲】
【請求項１】
所定の間隔で並べた複数の第１の線状部材と、前記第１の線状部材と異なる方向に所定の間隔で並べた複数の第２の線状部材とで構成され、複数の網目が形成された非織物ネットを複数積層してなる平板状の立体構造を有することを特徴とする積層型ネット敷物。
【請求項２】
前記第１の線状部材及び前記第２の線状部材は、断面円形であることを特徴とする請求項１に記載の積層型ネット敷物。
【請求項３】
前記第１の線状部材及び前記第２の線状部材は、断面矩形であることを特徴とする請求項１に記載の積層型ネット敷物。
【請求項４】
前記第１の線状部材は、断面円形の線状部材と断面矩形の線状部材とが交替に並べられ、前記第２の線状部材は、断面円形の線状部材と断面矩形の線状部材とが交替に並べられることを特徴とする請求項１に記載の積層型ネット敷物。
【請求項５】
更に被包部材により被包されることを特徴とする請求項１乃至４の何れか１項に記載の積層型ネット敷物。
【請求項６】
更に前記非織物ネットに結合される繊維ネットが含まれることを特徴とする請求項１乃至４の何れか１項に記載の積層型ネット敷物。
【請求項７】
前記繊維ネットは、前記非織物ネットより大きく、前記繊維ネットの周縁が前記非織物ネットの周縁に折り重なって被覆することにより、ふちが形成されることを特徴とする請求項６に記載の積層型ネット敷物。
【請求項８】
前記複数の非織物ネットそれぞれの網目の大きさは同様であることを特徴とする請求項１乃至４の何れか１項に記載の積層型ネット敷物。
【請求項９】
大きい網目を有する前記非織物ネットと、小さい網目を有する前記非織物ネットとが交錯するように積層されることを特徴とする請求項１乃至４の何れか１項に記載の積層型ネット敷物。
【請求項１０】
前記複数の非織物ネットは、網目が所定の方向順に大きく又は小さくなるように積層されることを特徴とする請求項１乃至４の何れか１項に記載の積層型ネット敷物。
【考案の詳細な説明】
【技術分野】
【０００１】
本考案は、特に寝具、椅子又は靴に用いる積層型ネット敷物に関するものである。
【背景技術】
【０００２】
従来、寝具には、ボンネルコイルマットレスやポケットコイルマットレス等があり、敷き布団や枕あてには、ラテックスや、シリカゲル又は発泡プラスチック等があり、畳には、わら、そして、枕あてや床しき、座布団には、棕櫚、羽毛、ウール、繊維、茶葉、インゲンマメの殻、ハーブ、竹、藤、木製ビーズ、或いはプラスチックビーズなど材料等が用いられる。
【０００３】
又、通常、靴を履いた時の蒸れや不快感を無くすためには、一般に靴のインステップを網目状にしたり、通気性に優れたインステップを採用したり、若しくは網目状の中敷など敷物を靴の中にセットする方法が採用されている。
【考案の開示】
【考案が解決しようとする課題】
【０００４】
しかしながら、前記各種材料により製造された従来の敷物は、夫々多様な効果を有するが、それらは皆、湿気に弱いという欠点があった。一部の敷物は更に通気性が悪いと共に、手入れがし難く、使用寿命が短いなどの欠点があった。
【０００５】
又、前記敷物を用いることによって靴の着用時に通気効果を得る従来の方法では、その効果に限りがあり、効率よく靴内の湿気を外部に逃がすことができない。  
更に従来の、天然又は人工繊維からなる織物を用いて製造された中敷は、互いに積層する複数の織物ネットを有し、前記各織物ネットの縦糸と横糸とが上下に湾曲して互いに交差するように織り込まれているので、縦糸と横糸とが交差する部分が突出し、各織物ネットの表面が凹凸状を呈してしまう。その上、このようなネットの構成は、網目が塞がり易く、使用者の体重がかかると更に通気性が悪くなってしまう。
【０００６】
そこで、案出されたのが本考案であって、従来の湿気に弱い欠点と通気性の悪さ改良するために、弾性及び通気性に優れると共に、湿気に強く、カビの発生を防ぐことができる積層型ネット敷物を提供することを目的としている。
【課題を解決するための手段】
【０００７】
本願の請求項１の考案は、所定の間隔で並べた複数の第1の線状部材と、前記第１の線状部材と異なる方向に所定の間隔で並べた複数の第2の線状部材とで構成され、複数の網目が形成された非織物ネットを複数積層してなる平板状の立体構造を有することを特徴とする積層型ネット敷物、を提供する。
【０００８】
本願の請求項２の考案は、前記第１の線状部材及び前記第２の線状部材は、断面円形であることを特徴とする請求項１に記載の積層型ネット敷物、を提供する。
【０００９】
本願の請求項３の考案は、前記第１の線状部材及び前記第２の線状部材は、断面矩形であることを特徴とする請求項１に記載の積層型ネット敷物、を提供する。
【００１０】
本願の請求項４の考案は、前記第１の線状部材は、断面円形の線状部材と断面矩形の線状部材とが交替に並べられ、前記第２の線状部材は、断面円形の線状部材と断面矩形の線状部材とが交替に並べられることを特徴とする請求項１に記載の積層型ネット敷物、を提供する。
【００１１】
本願の請求項５の考案は、更に被包部材により被包されることを特徴とする請求項１乃至４の何れか１項に記載の積層型ネット敷物、を提供する。
【００１２】
本願の請求項６の考案は、更に前記非織物ネットに結合される繊維ネットが含まれることを特徴とする請求項１乃至４の何れか１項に記載の積層型ネット敷物、を提供する。
【００１３】
本願の請求項７の考案は、前記繊維ネットは、前記非織物ネットより大きく、前記繊維ネットの周縁が前記非織物ネットの周縁に折り重なって被覆することにより、ふちが形成されることを特徴とする請求項６に記載の積層型ネット敷物、を提供する。
【００１４】
本願の請求項８の考案は、前記複数の非織物ネットそれぞれの網目の大きさは同様であることを特徴とする請求項１乃至４の何れか１項に記載の積層型ネット敷物、を提供する。
【００１５】
本願の請求項９の考案は、大きい網目を有する前記非織物ネットと、小さい網目を有する前記非織物ネットとが交錯するように積層されることを特徴とする請求項１乃至４の何れか１項に記載の積層型ネット敷物、を提供する。
【００１６】
本願の請求項１０の考案は、前記複数の非織物ネットは、網目が所定の方向に順に大きく又は小さくなるように積層されることを特徴とする請求項１乃至４の何れか１項に記載の積層型ネット敷物、を提供する。
【考案の効果】
【００１７】
本考案が提供する積層型ネット敷物は、上記の課題を解決するものであり、熱可塑性プラスチックやゴムなどを押し出し成形することにより簡単に製造することができると共に、互いに積層する複数の発泡非織物ネット又は複数の非発泡非織物ネットからなり、前記複数の非織物ネットは、複数の積層構造をなすことから、一定の積層空間が形成されるので、以下に示すような効果を得ることができる。
【００１８】
１．本考案の積層型ネット敷物は、プラスチックやゴムなどの材料からなるので、湿気に強く、防カビ効果を有すると共に、その材料特性により、優れた弾性と通気性も提供することができる。
【００１９】
２．本考案の積層型ネット敷物は、複数の非織物ネットが積層する構造であり、一定の積層空間が確保されるので、寝具や椅子に使用する場合、網目からなる通気路が詰まることはない。又、前記構造によれば、優れた弾性を持たせることができるだけでなく、織物ネットからなる従来の敷物と比較して、全体の重量を軽減することができるので、従来の敷物の欠点を改善できると共に、実用性の向上も図ることができる。
【００２０】
３．本考案の積層型ネット敷物を靴のインステップ又は中敷として使用した場合、上述した通り一定の積層空間を確保することができるので、優れた通気性を提供できる。又、前記構造よれば、足及び靴との接触面積を従来の敷物より小さくすることができるので、前記積層型ネット敷物と、特殊なアウトソール又はインソールとを併用すれば、空気の循環と通気性を大幅に向上させることができる。更に、本考案の積層型ネット敷物は、コストが低いと共に、加工も容易にできるので、用途の範囲が非常に広い。
【考案を実施するための最良の形態】
【００２１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２２】
図１は本考案に係る積層型ネット敷物の第１実施例の斜視図であり、図２は本考案に係る積層型ネット敷物の第１実施例の分解斜視図であり、図３は本考案に係る積層型ネット敷物の第１実施例における非織物ネットの斜視図であり、図４は本考案に係る積層型ネット敷物の第２実施例の斜視図であり、図５は本考案に係る積層型ネット敷物の第２実施例の分解斜視図であり、図６は本考案に係る積層型ネット敷物の第２実施例における非織物ネットの斜視図であり、図７は本考案に係る積層型ネット敷物の第３実施例の斜視図であり、図８は本考案に係る積層型ネット敷物における第３実施例における非織物ネットの斜視図であり、図９は本考案に係る積層型ネット敷物の第４実施例の斜視図であり、図１０は本考案に係る積層型ネット敷物の第４実施例の分解斜視図であり、図１１は本考案に係る積層型ネット敷物を寝具又は椅子に使用した状態を示す斜視断面図であり、図１２は本考案に係る積層型ネット敷物を寝具又は椅子に使用した状態を示す他の斜視断面図であり、図１３は本考案に係る積層型ネット敷物を靴に使用した状態を示す側面断面図であり、図１４は本考案に係る積層型ネット敷物の第５実施例の分解斜視図であり、図１５は本考案に係る積層型ネット敷物の第５実施例の斜視図であり、図１６は本考案に係る積層型ネット敷物の第６実施例の分解斜視図であり、図１７は本考案に係る積層型ネット敷物の第６実施例の斜視図である。
【００２３】
図１乃至図３に示すように、本考案の第１実施例では、積層型ネット敷物（１）は、例えばポリエチレン（Polyethylene, PE）、エチレン酢酸ビニル共重合体（Ethylene-vinyl acetate copolymer, EVA）、熱可塑性エラストマー（Thermoplastic Elastomer, TPE）、又は熱可塑性ゴム（Thermo Plastic Rubber, TPR）などの熱可塑性プラスチックやゴム材料を押し出し成形する方法により製造されると共に、発泡非織物材料或いは非発泡非織物材料からなる非織物ネット（１０）を複数積層してなる平板状の立体構造を有し、前記非織物ネット（１０）は、所定の間隔で並べた複数の第１の線状部材（１１）と、前記第１の線状部材（１１）と異なる方向に所定の間隔で並べた複数の第２の線状部材（１２）とで構成され、複数の網目（符号なし）が形成されたものである。  
又、前記積層型ネット敷物（１）は、例えば、大きい網目を有する前記非織物ネット（１０）と、小さい網目を有する前記非織物ネット（１０）とが交錯するように積層され、或いは前記複数の非織物ネット（１０）は網目が順に大きくなるように積層されることにより形成されることができる。  
また、前記複数の非織物ネット（１０）を、例えば、縫製、電熱ブレード、超音波、又は高周波などの手段により、所定の厚さに積層させる時、前記複数の非織物ネット（１０）が互いに結合して、図１に示すように立体構造を成す積層型ネット敷物（１）となる。
【００２４】
更に、図１乃至図３に示すように、本考案の第１実施例に係る積層型ネット敷物（１）は、６枚の非織物ネット（１０）を積層させることにより形成されるものであり、前記各非織物ネット（１０）における第１の線状部材（１１）、及び第２の線状部材（１２）は断面円形を呈する。
【００２５】
図４乃至図６に示すように、本考案の第２実施例に係る積層型ネット敷物（１Ａ）は、４枚の非織物ネット（１０Ａ）を積層させることにより形成され、前記各非織物ネット（１０Ａ）における第１の線状部材（１１）、及びその第２の線状部材（１２）は断面矩形を呈する。
【００２６】
図７及び図８に示すように、本考案の第３実施例に係る積層型ネット敷物（１Ｂ）は、４枚の非織物ネット（１０Ｂ）を積層させることにより形成され、前記各非織物ネット（１０Ｂ）は、断面円形の線状部材（１１Ａ）と断面矩形の線状部材（１１）とが交替に並べられる前記第１の線状部材と、断面円形の線状部材（１２Ａ）と断面矩形の線状部材（１２）とが交替に並べられる前記第２の線状部材とが交差するように形成される。
【００２７】
図９及び図１０に示すように、本考案の第４実施例に係る積層型ネット敷物（１Ｃ）は、６枚の非織物ネット（１０）（１０Ａ）（１０Ｂ）を積層させることにより形成され、上段に位置する２枚の非織物ネット（１０）における第１の線状部材（１１）及び第２の線状部材（１２）は共に断面円形であると共に、中段における２枚の非織物ネット（１０Ａ）における第１の線状部材（１１）及び第２の線状部材（１２）は共に断面矩形であり、下段に位置する２枚の非織物ネット（１０Ｂ）は、断面円形の線状部材（１１Ａ）と断面矩形の線状部材（１１）とが交替に並べられる前記第１の線状部材と、断面円形の線状部材（１２Ａ）と断面矩形の線状部材（１２）とが交替に並べられる前記第２の線状部材とが交差するように形成されたものである。
【００２８】
図１１に示すように、本考案に係る積層型ネット敷物（１）を、寝具又は椅子に使用する場合には、更に被包部材（２０）により被包すると、寝具用又は椅子用の敷物として快適に使用することができる。
【００２９】
更に、図１２に示すように、本考案に係る積層型ネット敷物（１）と、前記寝具又は椅子に使用する場合、更に補助パッド（３０）とを結合させた後、被包部材（２０）により被包してもよい。こうすることにより、更に弾力性が増すので、寝具用又は椅子用の敷物として、より使い易くなる。
【００３０】
図１３に示すように、本考案の第５実施例及び第６実施例に係る積層型ネット敷物（１Ｄ）（１Ｅ）を、表面につま皮（４１）が設けられ、前記つま皮（４１）の裏側にインステップ（４２）が設けられると共に、底部にアウトソール（４３）が設けられ、前記アウトソール（４３）の上面にインソール（４４）が設けられ、前記インソール（４４）上に中敷（４５）が設けられる一般的な靴（４０）に使用する場合には、前記インステップ（４２）と中敷（４５）に本考案の第５実施例及び第６実施例に係る積層型ネット敷物（１Ｄ）（１Ｅ）からなるものを使用することが好ましい。
【００３１】
更に図１３乃至図１５に示すように、本考案の第５実施例における、前記インステップ（４２）として使用する積層型ネット敷物（１Ｄ）は、３枚の非織物ネット（１０）と、前記３つの非織物ネット（１０）の底面と結合される繊維ネット（１３）とを積層してなる平板状の立体構造を有し、前記各非織物ネット（１０）は、所定の間隔で並べた複数の第1の線状部材（１１）と、前記第１の線状部材（１１）と異なる方向に所定の間隔で並べた複数の第2の線状部材（１２）とで構成され、複数の網目（符号なし）が形成されたものであり、前記３枚の非織物ネット（１０）においては、繊維ネット（１３）側に近づくにつれ網目が小さくなる構造である。  
又、前記繊維ネット（１３）は、例えば木綿糸、麻糸、或いはナイロンなど天然又は人工繊維からなる織物を用いて製造されたものであるが、靴（４０）の着用感を向上させるためには、その繊維が前記各非織物ネット（１０）の線状部材（１１）（１２）より細くする必要がある。
【００３２】
更に図１３、図１６及び図１７に示すように、前記中敷（４５）として使用する本考案の第６実施例における積層型ネット敷物（１Ｅ）は、３枚の非織物ネット（１０）と、前記３枚の非織物ネット（１０）の上面に結合される繊維ネット（１３）と積層してなる平板状の立体構造を有し、前記各非織物ネット（１０）は、所定の間隔で並べた複数の第1の線状部材（１１）と、前記第１の線状部材（１１）と異なる方向に所定の間隔で並べた複数の第2の線状部材（１２）とで構成され、複数の網目（符号なし）が形成されたものである。尚、前記３枚の非織物ネット（１０）は、繊維ネット（１３）側に近づくにつれ網目が小さくなり、更に、前記繊維ネット（１３）は、前記非織物ネット（１０）よりサイズが大きく、これにより、前記繊維ネット（１３）の周縁が前記非織物ネット（１０）の周縁に折り重なって被覆することにより、ふちを形成することができる。
【産業上の利用可能性】
【００３３】
本考案の積層型ネット敷物（１）は上記の構成を有するので、熱可塑性プラスチックやゴムを押し出し成形する方法などにより弾性と通気性に優れると共に、湿気に強く、カビの発生を防ぐことができる非織物ネット（１０）（１０Ａ）（１０Ｂ）を製造することができる。又、前記複数の非織物ネット（１０）（１０Ａ）（１０Ｂ）は、積層構造であることから、一定の空間を確保することができるので、重量の軽減や、通気性の向上を図ることができる。更に、前記各非織物ネット（１０）（１０Ａ）（１０Ｂ）は、熱可塑性プラスチックやゴムなどから製造されるものであることから、優れた可撓性を有するので、積層型ネット敷物（１）の使用感をより向上させることができる。
【図面の簡単な説明】
【００３４】
【図１】本考案に係る積層型ネット敷物の第１実施例の斜視図である。
【図２】本考案に係る積層型ネット敷物の第１実施例の分解斜視図である。
【図３】本考案に係る積層型ネット敷物の第１実施例における非織物ネットの斜視図である。
【図４】本考案に係る積層型ネット敷物の第２実施例の斜視図である。
【図５】本考案に係る積層型ネット敷物の第２実施例の分解斜視図である。
【図６】本考案に係る積層型ネット敷物の第２実施例における非織物ネットの斜視図である。
【図７】本考案に係る積層型ネット敷物の第３実施例の斜視図である。
【図８】本考案に係る積層型ネット敷物における第３実施例における非織物ネットの斜視図である。
【図９】本考案に係る積層型ネット敷物の第４実施例の斜視図である。
【図１０】本考案に係る積層型ネット敷物の第４実施例の分解斜視図である。
【図１１】本考案に係る積層型ネット敷物を寝具又は椅子に使用した状態を示す斜視断面図である。
【図１２】本考案に係る積層型ネット敷物を寝具又は椅子に使用した状態を示す他の斜視断面図である。
【図１３】本考案に係る積層型ネット敷物を靴に使用した状態を示す側面断面図である。
【図１４】本考案に係る積層型ネット敷物の第５実施例の分解斜視図である。
【図１５】本考案に係る積層型ネット敷物の第５実施例の斜視図である。
【図１６】本考案に係る積層型ネット敷物の第６実施例の分解斜視図である。
【図１７】本考案に係る積層型ネット敷物の第６実施例の斜視図である。
【符号の説明】
【００３５】
（１）積層型ネット敷物 （１Ａ）積層型ネット敷物
（１Ｂ）積層型ネット敷物（１Ｃ）積層型ネット敷物
（１Ｄ）積層型ネット敷物（１Ｅ）積層型ネット敷物
（１０）非織物ネット （１０Ａ）非織物ネット
（１０Ｂ）非織物ネット （１１）線状部材
（１１Ａ）線状部材 （１２）線状部材
（１２Ａ）線状部材 （１３）繊維ネット
（２０）被包部材 （３０）補助パッド
（４０）靴         （４１）つま皮
（４２）インステップ （４３）アウトソール
（４４）インソール （４５）中敷
【図１】
0003136985.tif 000003
【図２】
0003136985.tif 000004
【図３】
0003136985.tif 000005
【図４】
0003136985.tif 000006
【図５】
0003136985.tif 000007
【図６】
0003136985.tif 000008
【図７】
0003136985.tif 000009
【図８】
0003136985.tif 000010
【図９】
0003136985.tif 000011
【図１０】
0003136985.tif 000012
【図１１】
0003136985.tif 000013
【図１２】
0003136985.tif 000014
【図１３】
0003136985.tif 000015
【図１４】
0003136985.tif 000016
【図１５】
0003136985.tif 000017
【図１６】
0003136985.tif 000018
【図１７】
0003136985.tif 000019